【手続補正書】
【提出日】平成26年10月17日(2014.10.17)
【手続補正１】
【補正対象書類名】特許請求の範囲
【補正対象項目名】全文
【補正方法】変更
【補正の内容】
【特許請求の範囲】
【請求項１】
カメラ部と、
表示部と、
前記表示部に重ねて配置されたタッチパネルと、を備え、
少なくとも、前記表示部が前記カメラ部で撮影した画像を表示する第１のモードと、所定の画像を表示する第２のモードを有し、
前記第１のモードにおいて前記タッチパネルは、前記表示部において所定の幅で不感領域を備え、
前記第２のモードにおいて前記タッチパネルは、前記不感領域を備えない、
撮影装置。
【請求項２】
カメラ部と、
表示部と、
前記表示部に重ねて配置されたタッチパネルと、を備え、
少なくとも、前記表示部が前記カメラ部で撮影した画像を表示する第１のモードと、所定の画像を表示する第２のモードを有し、
前記第１のモードにおいて前記タッチパネルは、前記表示部において第１の幅で不感領域を備え、
前記第２のモードにおいて前記タッチパネルは、前記表示部において前記第１の幅より狭い第２の幅の不感領域を備える、
撮影装置。
【請求項３】
請求項１又は請求項２に記載の撮影装置であって、
前記第１のモードの前記表示部において、前記不感領域に接してアイコンが表示され、
前記アイコンにタッチ操作された場合、前記アイコンの機能を実行する、
撮影装置。
【請求項４】
請求項１から請求項３のいずれか１項に記載の撮影装置であって、
前記第１のモードにおいて、前記表示部は、前記カメラ部で撮影した画像を略全面に表示する、
撮影装置。
【請求項５】
請求項４に記載の撮影装置であって、
前記第１のモードにおいて、前記表示部が表示する前記カメラ部で撮影した画像の面積は、前記表示部の全面積に対して８０％以上である、
撮影装置。
【請求項６】
請求項１から請求項５のいずれか１項に記載の撮影装置であって、
少なくとも第１の面と第２の面で覆われた筐体を有し、
前記表示部と前記タッチパネルは前記第１の面に配置され、
前記第１の面と前記第２の面の角と、前記表示部との間に縁部を備える、
撮影装置。
【請求項７】
請求項６に記載の撮影装置であって、
前記縁部の幅は、０ｍｍより大きく、３．５ｍｍより小さい、
撮影装置。
【請求項８】
請求項１から請求項７のいずれか１項に記載の撮影装置であって、
前記タッチパネルは、前記表示部の略全面において重ねて配置された、
撮影装置。
【請求項９】
請求項８に記載の撮影装置であって、
前記表示部において前記タッチパネルが重ねて配置される面積は、前記表示部の面積の９０％以上１００％以下である、
撮影装置。
【請求項１０】
請求項８に記載の撮影装置であって、
前記タッチパネルにおいて前記表示部が重ねて配置される面積は、前記タッチパネルの面積の９０％以上１００％以下である、
撮影装置。
【請求項１１】
請求項１から請求項１０のいずれか１項に記載の撮影装置であって、
前記タッチパネルの前記不感領域以外の領域において、以下の（１）から（５）の中の少なくとも１つの機能の入力を受ける撮影装置。
（１）オートフォーカスの対象物選択
（２）シャッター
（３）電子ズームの対象物選択
（４）露出を合わせる対象物選択
（５）ホワイトバランスを合わせる対象物選択
【手続補正２】
【補正対象書類名】明細書
【補正対象項目名】００１２
【補正方法】変更
【補正の内容】
【００１２】
本発明の撮影装置は、カメラ部と、表示部と、前記表示部に重ねて配置されたタッチパネルと、を備え、少なくとも、前記表示部が前記カメラ部で撮影した画像を表示する第１のモードと、所定の画像を表示する第２のモードを有し、前記第１のモードにおいて前記タッチパネルは、前記表示部において所定の幅で不感領域を備え、前記第２のモードにおいて前記タッチパネルは、前記不感領域を備えない。
【手続補正３】
【補正対象書類名】明細書
【補正対象項目名】００１３
【補正方法】変更
【補正の内容】
【００１３】
また、本発明の撮影装置は、カメラ部と、表示部と、前記表示部に重ねて配置されたタッチパネルと、を備え、少なくとも、前記表示部が前記カメラ部で撮影した画像を表示する第１のモードと、所定の画像を表示する第２のモードを有し、前記第１のモードにおいて前記タッチパネルは、前記表示部において第１の幅で不感領域を備え、前記第２のモードにおいて前記タッチパネルは、前記表示部において前記第１の幅より狭い第２の幅の不感領域を備える。
【手続補正４】
【補正対象書類名】明細書
【補正対象項目名】００１４
【補正方法】変更
【補正の内容】
【００１４】
これらの構成により、表示部がカメラ部で撮影した画像を表示する第１のモードと、所定の画像を表示する第２モードを有し、第１のモードにおいてタッチパネルは、表示部において所定の幅で不感領域を備えるので、撮影画像の表示中における誤動作を抑制することができる。
【手続補正５】
【補正対象書類名】明細書
【補正対象項目名】００１５
【補正方法】変更
【補正の内容】
【００１５】
また、本発明の撮影装置は、前記第１のモードの前記表示部において、前記不感領域に接してアイコンが表示され、前記アイコンにタッチ操作された場合、前記アイコンの機能を実行する。
【手続補正６】
【補正対象書類名】明細書
【補正対象項目名】００１６
【補正方法】変更
【補正の内容】
【００１６】
また、本発明の撮影装置は、前記第１のモードにおいて、前記表示部は、前記カメラ部で撮影した画像を略全面に表示する。
【手続補正７】
【補正対象書類名】明細書
【補正対象項目名】００１７
【補正方法】変更
【補正の内容】
【００１７】
また、本発明の撮影装置は、前記第１のモードにおいて、前記表示部が表示する前記カメラ部で撮影した画像の面積は、前記表示部の全面積に対して８０％以上である。
【手続補正８】
【補正対象書類名】明細書
【補正対象項目名】００１８
【補正方法】変更
【補正の内容】
【００１８】
また、本発明の撮影装置は、少なくとも第１の面と第２の面で覆われた筐体を有し、前記表示部と前記タッチパネルは前記第１の面に配置され、前記第１の面と前記第２の面の角と、前記表示部との間に縁部を備える。
【手続補正９】
【補正対象書類名】明細書
【補正対象項目名】００１９
【補正方法】変更
【補正の内容】
【００１９】
また、本発明の撮影装置は、前記縁部の幅は、０ｍｍより大きく、３．５ｍｍより小さい。
【手続補正１０】
【補正対象書類名】明細書
【補正対象項目名】００２０
【補正方法】変更
【補正の内容】
【００２０】
また、本発明の撮影装置は、前記タッチパネルは、前記表示部の略全面において重ねて配置された。
【手続補正１１】
【補正対象書類名】明細書
【補正対象項目名】００２１
【補正方法】変更
【補正の内容】
【００２１】
また、本発明の撮影装置は、前記表示部において前記タッチパネルが重ねて配置される面積は、前記表示部の面積の９０％以上１００％以下である。
【手続補正１２】
【補正対象書類名】明細書
【補正対象項目名】００２２
【補正方法】変更
【補正の内容】
【００２２】
また、本発明の撮影装置は、前記タッチパネルにおいて前記表示部が重ねて配置される面積は、前記タッチパネルの面積の９０％以上１００％以下である。
【手続補正１３】
【補正対象書類名】明細書
【補正対象項目名】００２３
【補正方法】変更
【補正の内容】
【００２３】
また、本発明の撮影装置は、前記タッチパネルの前記不感領域以外の領域において、以下の（１）から（５）の中の少なくとも１つの機能の入力を受ける。
（１）オートフォーカスの対象物選択
（２）シャッター
（３）電子ズームの対象物選択
（４）露出を合わせる対象物選択
（５）ホワイトバランスを合わせる対象物選択
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】削除
【補正の内容】
【手続補正１６】
【補正対象書類名】明細書
【補正対象項目名】００２６
【補正方法】削除
【補正の内容】
【手続補正１７】
【補正対象書類名】明細書
【補正対象項目名】００２７
【補正方法】削除
【補正の内容】
【手続補正１８】
【補正対象書類名】明細書
【補正対象項目名】００２８
【補正方法】削除
【補正の内容】
【手続補正１９】
【補正対象書類名】明細書
【補正対象項目名】００２９
【補正方法】削除
【補正の内容】
【手続補正２０】
【補正対象書類名】明細書
【補正対象項目名】００３０
【補正方法】削除
【補正の内容】
【手続補正２１】
【補正対象書類名】明細書
【補正対象項目名】００３１
【補正方法】削除
【補正の内容】
【手続補正２２】
【補正対象書類名】明細書
【補正対象項目名】００３２
【補正方法】削除
【補正の内容】
【手続補正２３】
【補正対象書類名】明細書
【補正対象項目名】００３３
【補正方法】削除
【補正の内容】
【手続補正２４】
【補正対象書類名】明細書
【補正対象項目名】００３４
【補正方法】削除
【補正の内容】
【手続補正２５】
【補正対象書類名】明細書
【補正対象項目名】００３５
【補正方法】削除
【補正の内容】
【手続補正２６】
【補正対象書類名】明細書
【補正対象項目名】００３６
【補正方法】削除
【補正の内容】
【手続補正２７】
【補正対象書類名】明細書
【補正対象項目名】００３７
【補正方法】削除
【補正の内容】
【手続補正２８】
【補正対象書類名】明細書
【補正対象項目名】００３８
【補正方法】削除
【補正の内容】
【手続補正２９】
【補正対象書類名】明細書
【補正対象項目名】００３９
【補正方法】削除
【補正の内容】
【手続補正３０】
【補正対象書類名】明細書
【補正対象項目名】００４０
【補正方法】変更
【補正の内容】
【００４０】
本発明によれば、表示部がカメラ部で撮影した画像を表示する第１のモードと、所定の画像を表示する第２モードを有し、第１のモードにおいてタッチパネルは、表示部において所定の幅で不感領域を備えるので、撮影画像の表示中における誤動作を抑制することができる。